(57)【特許請求の範囲】
【請求項１】
データ使用デバイスと関連付けられたネットワーク・アクセス・クラスが、少なくとも１つのサービスについての非拡張アクセス規制（ｎｏｎ−ＥＡＢ）ネットワーク・アクセス・プロトコルおよび少なくとも１つの別のサービスについてのＥＡＢネットワーク・アクセス・プロトコルを含む混合アクセスクラスであるかどうかをネットワークアクセス制御デバイスにより判定することと、
前記データ使用デバイスと関連付けられた前記ネットワーク・アクセス・クラスが前記混合アクセスクラスであることの判定に応じて、ネットワークにアクセスするために前記データ使用デバイスにＥＡＢネットワークアクセスが許可されているかどうかを判定することと、
前記ネットワークにアクセスするために前記データ使用デバイスにＥＡＢネットワークアクセスが許可されていないことの判定に応じて、前記データ使用デバイスのためのＥＡＢネットワークアクセスを規制することと、
前記ネットワークにアクセスするために前記データ使用デバイスにＥＡＢネットワークアクセスが許可されていることの判定に応じて、前記データ使用デバイスのためのすべてのサービスについてのネットワークアクセスを許可することと、
を含むコンピュータ実装方法。
【請求項２】
新しいネットワーク・アクセス・クラスが受け入れられた場合に前記データ使用デバイスと関連付けられた前記ネットワーク・アクセス・クラスを更新することをさらに含む、請求項１に記載のコンピュータ実装方法。
【請求項３】
前記データ使用デバイスと関連付けられた前記ネットワーク・アクセス・クラスが混合アクセスクラスであるかどうか判定することは、
前記データ使用デバイスと関連付けられた加入者識別モジュールに基づいて前記ネットワーク・アクセス・クラスを判定することをさらに含む、請求項１に記載のコンピュータ実装方法。
【請求項４】
前記少なくとも１つのサービスはタイムクリティカルなサービスを含み、前記少なくとも１つの別のサービスは非タイムクリティカルなサービスを含む、請求項１に記載のコンピュータ実装方法。
【請求項５】
各ネットワーク・アクセス・プロトコルについて別個のパケット・データ・プロトコル（ＰＤＰ：ｐａｃｋｅｔ  ｄａｔａ  ｐｒｏｔｏｃｏｌ）・コンテキストを連携させることをさらに含む、請求項１に記載のコンピュータ実装方法。
【請求項６】
前記ＥＡＢネットワーク・アクセス・プロトコルに従うサービスについて別個のランダム・アクセス・チャネルを割り当てることをさらに含む、請求項１に記載のコンピュータ実装方法。
【請求項７】
前記ネットワークは第３世代パートナーシップ・プロジェクト（３ＧＰＰ：ｔｈｉｒｄ  ｇｅｎｅｒａｔｉｏｎ  ｐａｒｔｎｅｒｓｈｉｐ  ｐｒｏｊｅｃｔ）・ネットワークである、請求項１に記載のコンピュータ実装方法。
【請求項８】
複数の命令を格納するメモリと、
前記メモリ内の命令を実行することにより、
データ使用デバイスと関連付けられた少なくとも１つのサービスに基づくネットワークアクセスについての要求を生成し、
前記データ使用デバイスと関連付けられたネットワーク・アクセス・クラスの識別についての要求を受け入れ、
前記データ使用デバイスと関連付けられた前記ネットワーク・アクセス・クラスの前記識別についての前記要求への応答として、少なくとも１つのサービスについての非拡張アクセス規制（ＥＡＢ）ネットワーク・アクセス・プロトコルおよび少なくとも１つの別のサービスについてのＥＡＢネットワーク・アクセス・プロトコルを含む、前記データ使用デバイスと関連付けられた混合アクセスクラスの識別を提供し、
ネットワークアクセスが前記混合アクセスクラスおよび前記少なくとも１つのサービスに基づいて許可されたことの標識を受け入れ、
ネットワークアクセスが前記混合アクセスクラスおよび前記少なくとも１つのサービスに基づいて許可されたことの標識に応じてデータを伝達する、
ように構成されるプロセッサと、
を備えるデータ使用デバイス。
【請求項９】
ワイヤレス電話、セルラ電話、スマートフォン、パーソナルデジタルアシスタント（ＰＤＡ：ｐｅｒｓｏｎａｌ  ｄｉｇｉｔａｌ  ａｓｓｉｓｔａｎｔ）、ラップトップコンピュータ、パーソナルコンピュータ、またはタブレットコンピュータのうちの１つである、請求項８に記載のデータ使用デバイス。
【請求項１０】
複数の命令を格納するメモリと、
前記メモリ内の命令を実行することにより、
データ使用デバイスと関連付けられたネットワーク・アクセス・クラスが、タイムクリティカルなサービスには完全なネットワークアクセスを、非タイムクリティカルなサービスにはマシン・タイプ・コミュニケーションに基づくネットワークアクセスを許可する混合アクセスクラスであるかどうかを判定し、
前記データ使用デバイスと関連付けられた前記ネットワーク・アクセス・クラスが前記混合アクセスクラスであることの判定に応じて、ネットワークにおけるマシン・タイプ・コミュニケーションについてアクセスが許可されているかどうかを判定し、
前記ネットワークについてマシン・タイプ・コミュニケーションのためのネットワークアクセスが許可されていないことの判定に応じて、前記データ使用デバイスによるマシン・タイプ・コミュニケーションのためのネットワークアクセスを規制し、
前記ネットワークにアクセスするために前記データ使用デバイスにマシン・タイプ・コミュニケーションのためのネットワークアクセスが許可されていることの判定に応じて、前記データ使用デバイスのためのすべてのサービスについて完全なネットワークアクセスを許可する、
ように構成されるプロセッサと、
を備えるネットワークアクセス制御デバイス。
【請求項１１】
前記プロセッサは、
新しいネットワーク・アクセス・クラスが受け入れられた場合に前記データ使用デバイスと関連付けられた前記ネットワーク・アクセス・クラスを更新するようにさらに構成される、請求項１０に記載のネットワークアクセス制御デバイス。
【請求項１２】
前記データ使用デバイスと関連付けられた前記ネットワーク・アクセス・クラスが混合アクセスクラスであるかどうかを判定する場合に、前記プロセッサは、
前記データ使用デバイスと関連付けられた加入者識別モジュールに基づいて前記ネットワーク・アクセス・クラスを判定するようにさらに構成される、請求項１０に記載のネットワークアクセス制御デバイス。
【請求項１３】
前記プロセッサは、
各ネットワーク・アクセス・プロトコルについて別個のパケット・データ・プロトコル（ＰＤＰ）・コンテキストを連携させるようにさらに構成される、請求項１０に記載のネットワークアクセス制御デバイス。
【請求項１４】
ネットワークアクセス制御デバイスにおけるプロセッサによって実行される命令を含むコンピュータ可読媒体であって、前記命令は前記プロセッサによって実行されると前記プロセッサに、
データ使用デバイスと関連付けられたネットワーク・アクセス・クラスが、少なくとも１つのサービスについての非拡張アクセス規制（ｎｏｎ−ＥＡＢ）ネットワーク・アクセス・プロトコルおよび少なくとも１つの別のサービスについてのＥＡＢネットワーク・アクセス・プロトコルを含む混合アクセスクラスであるかどうかを判定させ、
前記データ使用デバイスと関連付けられた前記ネットワーク・アクセス・クラスが前記混合アクセスクラスであることの判定に応じて、ネットワークについてＥＡＢネットワークアクセスが許可されているかどうかを判定させ、
前記ネットワークについてＥＡＢネットワークアクセスが許可されていないことの判定に応じて、前記データ使用デバイスのためのＥＡＢネットワークアクセスを規制させ、
前記ネットワークについてＥＡＢネットワークアクセスが許可されている場合に前記データ使用デバイスのためのすべてのサービスについてのネットワークアクセスを許可させる、
ための１または複数の命令を含む、コンピュータ可読媒体。
【請求項１５】
前記データ使用デバイスと関連付けられた前記ネットワーク・アクセス・クラスが混合アクセスクラスであるかどうかを判定する場合に、前記プロセッサに、
前記データ使用デバイスと関連付けられた加入者識別モジュール（ＳＩＭ）に基づいて前記ネットワーク・アクセス・クラスを判定させる、
ための命令をさらに含む、請求項１４に記載のコンピュータ可読媒体。
【発明の詳細な説明】
【背景技術】
【０００１】
モバイル通信ネットワークにおけるデータトラフィックはいくつかの理由で徐々に増加している。ネットワークにおける甚だしく大量のデータトラフィックをもたらし得る一側面は、モバイル通信システムに接続されたデータ中心マシンツーマシン（Ｍ２Ｍ：ｍａｃｈｉｎｅ−ｔｏ−ｍａｃｈｉｎｅ）デバイスの量の増加傾向である。そうしたＭ２Ｍデバイスの例は、例えば、輸送、保健医療、製造、小売などの分野におけるものである。
【発明の概要】
【０００２】
一実装形態においてコンピュータ実装方法は、データ使用デバイスと関連付けられたネットワーク・アクセス・クラスが、少なくとも１つのサービスについての非拡張アクセス規制（ＥＡＢ：ｅｘｔｅｎｄｅｄ  ａｃｃｅｓｓ  ｃｌａｓｓ）ネットワーク・アクセス・プロトコルおよび少なくとも１つの別のサービスについてのＥＡＢネットワーク・アクセス・プロトコルを含む混合アクセスクラスであるかどうかを判定することと、ネットワークにアクセスするためのデータ使用デバイスにＥＡＢアクセスが許可（ｇｒａｎｔ）されているかどうか判定することと、ネットワークにアクセスするためのデータ使用デバイスにＥＡＢアクセスが許可されていない場合にデータ使用デバイスのためのＥＡＢネットワークアクセスを規制することと、ネットワークにアクセスするためのデータ使用デバイスにＥＡＢアクセスが許可されている場合にデータ使用デバイスのためのすべてのサービスについてのネットワークアクセスを許可することと、を含んでもよい。
【０００３】
加えて、コンピュータ実装方法は、新しいネットワーク・アクセス・クラスが受け入れられた場合にデータ使用デバイスと関連付けられたネットワーク・アクセス・クラスを更新することをさらに含んでもよい。
【０００４】
加えて、データ使用デバイスと関連付けられたネットワーク・アクセス・クラスが混合アクセスクラスであるかどうかを判定することは、データ使用デバイスと関連付けられた加入者識別モジュール（ＳＩＭ：ｓｕｂｓｃｒｉｂｅｒ  ｉｄｅｎｔｉｔｙ  ｍｏｄｕｌｅ）に基づいてネットワーク・アクセス・クラスを判定することをさらに含んでもよい。
【０００５】
加えて、少なくとも１つのサービスはタイムクリティカルなサービスであってもよく、少なくとも１つの別のアプリケーションは非タイムクリティカルなサービスであってもよい。
【０００６】
加えて、コンピュータ実装方法は、各ネットワーク・アクセス・プロトコルについて別個のパケット・データ・プロトコル（ＰＤＰ：ｐａｃｋｅｔ  ｄａｔａ  ｐｒｏｔｏｃｏｌ）・コンテキストを連携させることをさらに含んでもよい。
【０００７】
加えて、コンピュータ実装方法は、ＥＡＢネットワーク・アクセス・プロトコルに従うサービスに別個のランダム・アクセス・チャネルを割り当てることをさらに含んでもよい。
【０００８】
加えて、ネットワークは第３世代パートナーシップ・プロジェクト（３ＧＰＰ：ｔｈｉｒｄ  ｇｅｎｅｒａｔｉｏｎ  ｐａｒｔｎｅｒｓｈｉｐ  ｐｒｏｊｅｃｔ）・ネットワークであってもよい。
【０００９】
別の実装形態によれば、データ使用デバイスは、複数の命令を格納するメモリと、メモリ内の命令を実行することにより、データ使用デバイスと関連付けられた少なくとも１つのサービスに基づくネットワークアクセスについての要求を生成し、データ使用デバイスと関連付けられたネットワーク・アクセス・クラスの識別についての要求を受け入れ、データ使用デバイスと関連付けられたネットワーク・アクセス・クラスの識別についての要求への応答として、少なくとも１つのサービスについての非ＥＡＢネットワーク・アクセス・プロトコルおよび少なくとも１つの別のサービスについてのＥＡＢネットワーク・アクセス・プロトコルを含む、デバイスと関連付けられた混合アクセスクラスの識別を提供し、混合アクセスクラスおよび少なくとも１つのサービスに基づくネットワークアクセスを受け入れるように構成されるプロセッサと、を含み得る。
【００１０】
加えて、データ使用デバイスは、ワイヤレス電話、セルラ電話、スマートフォン、パーソナルデジタルアシスタント（ＰＤＡ：ｐｅｒｓｏｎａｌ  ｄｉｇｉｔａｌ  ａｓｓｉｓｔａｎｔ）、ラップトップコンピュータ、パーソナルコンピュータ、またはタブレットコンピュータのうちの１つであってもよい。
【００１１】
別の実装形態によれば、デバイスは、複数の命令を格納するメモリと、メモリ内の命令を実行することにより、データ使用デバイスと関連付けられたネットワーク・アクセス・クラスが、タイムクリティカルなサービスには完全なネットワークアクセスを、非タイムクリティカルなサービスにはマシン・タイプ・コミュニケーションに基づくネットワークアクセスを許可する混合アクセスクラスであるかどうかを判定し、ネットワークにおけるマシン・タイプ・コミュニケーションについてアクセスが許可されているかどうかを判定し、ネットワークについてマシン・タイプ・コミュニケーションのためのネットワークアクセスが許可されていない場合にデータ使用デバイスによるマシン・タイプ・コミュニケーションのためのネットワークアクセスを規制し、ネットワークについてマシン・タイプ・コミュニケーションのためのネットワークアクセスが許可されている場合にデータ使用デバイスのためのすべてのサービスについてのネットワークアクセスを許可するように構成されるプロセッサと、を含んでいてもよい。
【００１２】
加えて、プロセッサは、新しいネットワーク・アクセス・クラスが受け入れられた場合にデータ使用デバイスと関連付けられたネットワーク・アクセス・クラスを更新するようにさらに構成される。
【００１３】
加えて、データ使用デバイスと関連付けられたネットワーク・アクセス・クラスが混合アクセスクラスであるかどうかを判定する場合に、プロセッサは、データ使用デバイスと関連付けられた加入者識別モジュールに基づいてネットワーク・アクセス・クラスを判定するようにさらに構成される。
【００１４】
加えて、プロセッサは、各ネットワーク・アクセス・プロトコルについて別個のパケット・データ・プロトコル（ＰＤＰ）・コンテキストを連携させるようにさらに構成される。
【００１５】
加えて、プロセッサは、非タイムクリティカルなサービスのためのマシン・タイプ・コミュニケーションに基づくネットワークアクセスを受け入れるサービスについて別個のランダム・アクセス・チャネルを割り当てるようにさらに構成される。
【００１６】
加えて、ネットワークは第３世代パートナーシップ・プロジェクト（３ＧＰＰ）・ネットワークである。
【００１７】
別の実装形態では、コンピュータ可読媒体はコンピュータ実行可能命令を含み、コンピュータ実行可能命令は、データ使用デバイスと関連付けられたネットワーク・アクセス・クラスが混合アクセスクラスであるかどうかを判定するための命令を含んでもよい。混合アクセスクラスは、少なくとも１つのサービスについての非拡張アクセス規制（ＥＡＢ）ネットワーク・アクセス・プロトコルおよび少なくとも１つの別のサービスについてのＥＡＢネットワーク・アクセス・プロトコルを含む。コンピュータ実行可能命令は、ネットワークについてＥＡＢアクセスが許可されているかどうかを判定するための命令を含んでもよい。また、コンピュータ実行可能命令は、ネットワークについてＥＡＢアクセスが許可されていない場合にデータ使用デバイスのためのＥＡＢネットワークアクセスを規制するための命令、およびネットワークについてＥＡＢアクセスが許可されている場合にすべてのサービスについてのネットワークアクセスを許可するための命令を含んでもよい。
【００１８】
加えて、データ使用デバイスと関連付けられたネットワーク・アクセス・クラスが混合アクセスクラスであるかどうかを判定する場合に、コンピュータ可読命令は、データ使用デバイスと関連付けられた加入者識別モジュール（ＳＩＭ）に基づいてネットワーク・アクセス・クラスを判定するための命令を含む。
【００１９】
加えて、コンピュータ可読命令は、新しいネットワーク・アクセス・クラスが受け入れられた場合にデータ使用デバイスと関連付けられたＳＩＭに基づいてデータ使用デバイスと関連付けられたネットワーク・アクセス・クラスを更新するための命令を含む。
【００２０】
加えて、コンピュータ可読命令は、各ネットワーク・アクセス・プロトコルについて別個のパケット・データ・プロトコル（ＰＤＰ）・コンテキストを連携させるための命令をさらに含む。
【００２１】
加えて、コンピュータ可読命令は、ＥＡＢネットワーク・アクセス・プロトコルに従うサービスについて別個のランダム・アクセス・チャネルを割り当てるための命令をさらに含む。
【図面の簡単な説明】
【００２２】
添付の図面は、本明細書に組み入れられ、本明細書の一部を構成するものであり、本明細書で記述する１または複数の実施形態を例示し、記述とあいまって実施形態を説明するものである。
【００２３】
【図１】本明細書で記述するシステムおよび／または方法が実装され得る例示的なＬＴＥ（ｌｏｎｇ  ｔｅｒｍ  ｅｖｏｌｕｔｉｏｎ）・ネットワークを示す図である。
【図２】データ使用デバイスと関連付けられた識別子および関連するネットワーク・アクセス・プロトコルを示すブロック図である。
【図３】ネットワークアクセス制御デバイスのブロック図である。
【図４】図１〜図３の構成要素のうちの１または複数の例示的な構成を示す図である。
【図５】例示的なユーザデバイスの図である。
【図６】ユーザデバイスのネットワーク制御による拡張アクセス規制のための例示的なプロセスのフロー図である。
【発明を実施するための形態】
【００２４】
以下の詳細な説明では添付の図面に言及する。異なる図面中の同じ参照番号は同じ要素または類似の要素を識別する場合がある。また、以下の詳細な説明は例示と説明のためのものにすぎず、特許請求される発明を限定するものではない。
【００２５】
本明細書で記述する実施形態は、拡張アクセス規制（ＥＡＢ）ネットワーク・アクセス・クラスおよび非ＥＡＢネットワーク・アクセス・クラスを含む制御プレーンに基づくネットワークへのデータ使用デバイス（例えばコンシューマ端末）のアクセスが制御された端末を提供するためのデバイス、方法、およびシステムに関するものである。同じネットワーク端末が、データ使用デバイスにおいてタイムクリティカルなアクティビティが許可される一方で非タイムクリティカルなバックグラウンドアクティビティがマシン・タイプ・コミュニケーションに従うことを可能にし得て、ネットワーク輻輳のリスクが低減される。
【００２６】
図１は、例示的なＬＴＥネットワーク１００の図である。図示のように、ＬＴＥネットワーク１００は、いくつかのデータ使用デバイス１０２、アクセスネットワーク（ＡＮ：ａｃｃｅｓｓ  ｎｅｔｗｏｒｋ）１１０、進化型パケットコア（ＥＰＣ：ｅｖｏｌｖｅｄ  ｐａｃｋｅｔ  ｃｏｒｅ）ネットワーク１２０、および、インターネットまたは専用パケット・データ・ネットワークといったパケット・データ・ネットワーク（ＰＤＮ：ｐａｃｋｅｔ  ｄａｔａ  ｎｅｔｗｏｒｋ）１４０を含む。
【００２７】
データ使用デバイス１０２は、いくつかのユーザ機器（ＵＥ：ｕｓｅｒ  ｅｑｕｉｐｍｅｎｔ）デバイス１０４−１、１０４−２および１０４−ｘ（まとめて、または個別にＵＥ１０４と呼ぶ）と、いくつかのマシンツーマシン（Ｍ２Ｍ）デバイス１０６−１、１０６−２および１０６−ｘ（まとめてＭ２Ｍ１０６と呼び、または個別にＭ２Ｎ１０６と呼ぶ）とを含み得る。本明細書で記述するように、データ使用デバイス１０２は、ネットワーク１００において、特定のデータ使用デバイス１０２と関連付けられた特定のネットワーク・アクセス・クラスに基づいてデータを伝達し得る。
【００２８】
ＵＥ１０４は、無線電話（ｒａｄｉｏｔｅｌｅｐｈｏｎｅ）、パーソナル通信システム（ＰＣＳ：ｐｅｒｓｏｎａｌ  ｃｏｍｍｕｎｉｃａｔｉｏｎｓ  ｓｙｓｔｅｍ）端末（例えば、セルラ無線電話にデータ処理機能およびデータ通信機能と組み合わせ得る）、ワイヤレス電話（ｗｉｒｅｌｅｓｓ  ｔｅｌｅｐｈｏｎｅ）、セルラ電話、スマートフォン、パーソナルデジタルアシスタント（ＰＤＡ）（例えば、無線電話、ページャ、インターネット／イントラネットアクセスなどを含み得る）、ラップトップコンピュータ、パーソナルコンピュータ、タブレットコンピュータ、または他の種類の計算処理デバイスもしくは通信デバイスを含み得る。例示的な実装形態では、ＵＥ１０４は、ＡＮ１１０、ＥＰＣネットワーク１２０、および／またはＰＤＮ１４０上で通信し得る任意のデバイスを含んでもよい。ＵＥ１０４は、例えば、ＬＴＥ通信規格の１または複数のバージョンに従って動作し得る。本明細書で記述するように、ＵＥ１０４は、特定のネットワークアクセス要求が属するネットワーク・アクセス・クラスを判定し、したがって、特定の要求についての拡張アクセス規制（ＥＡＢ）および非ＥＡＢを含む制御プレーンに基づくネットワーク１００へのアクセスを受け入れるために使用され得る（ネットワーク１００内のネットワーク端末により）インジケータを含み得る。
【００２９】
Ｍ２Ｍ１０６は、マシン・タイプ・コミュニケーション（ＭＴＣ）（例えば第３世代パートナーシップ・プロジェクト（３ＧＰＰ）技術報告書（ＴＲ：ｔｅｃｈｎｉｃａｌ  ｒｅｐｏｒｔ）３７．８６８に記載されているようなマシンツーマシン通信（すなわちマシン・タイプ・コミュニケーション））を用いてネットワーク１００で通信するデバイスを含んでもよい。本明細書で記述するＭ２Ｍ１０６といったＭ２Ｍデバイス間の通信の１つの基本的な側面は、通信が、典型的に、人間の介在なしでなされ、Ｍ２Ｍ接続のための接続セットアップでの低レイテンシなどの点で要件が緩和されることである。Ｍ２Ｍ１０６は、１または複数の事象または条件（温度、在庫レベル、燃料レベルなどといった）に関するデータを取り込み、ネットワーク１００を介してそのデータを別のデバイス（例えばネットワーク端末など）におけるアプリケーション（機械可読命令）へ中継する機能を含むデバイス（センサまたはメータといった）であってよく、別のデバイスは、そのデータを、Ｍ２Ｍ１０６を管理するために使用され得る情報またはＭ２Ｍ１０６と関連付けられる条件（例えば、在庫補充されるべき品目、調整されるべき温度など）へ変換し得る。例示的な実装形態では、Ｍ２Ｍ１０６は、ＡＮ１１０、ＥＰＣネットワーク１２０、および／またはＰＤＮ１４０上でマシンツーマシン通信を用いて通信し得る任意のデバイスを含んでもよい。Ｍ２Ｍ１０６は、例えば、ＬＴＥ通信規格の１または複数のバージョンに従って動作し得る。
【００３０】
ＡＮ１１０は、加入者（例えばＵＥ１０４）をサービス提供者に接続する通信ネットワークを含む。一例ではＡＮ１１０は、Ｗｉ‐Ｆｉネットワークまたは他のアクセスネットワーク（例えばＥ‐ＵＴＲＡＮ１１２に加えて）を含んでもよい。ＡＮ１０６は、進化型汎用地上無線アクセスネットワーク（Ｅ‐ＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）１１２およびいくつかのｅＮｏｄｅＢ（ｅＮＢ）１１４‐１、１１４‐２またはエンハンスドノード基地局（まとめて、または個別にｅＮＢ１１４と呼ぶ）を含んでもよい。各ｅＮＢ１１４は、対応するマルチキャスト連携エンティティ（ＭＣＥ：ｍｕｌｔｉｃａｓｔ  ｃｏｏｒｄｉｎａｔｉｏｎ  ｅｎｔｉｔｙ）１１６（それぞれＭＣＥ１１６‐１、１１６‐２および１１６‐ｘ、まとめて、または個別にＭＣＥ１１６と呼ぶ）を含んでもよい。
【００３１】
Ｅ‐ＵＴＲＡＮ１１２は、高データレート、パケット最適化、大容量およびカバレッジなどをサポートし得る無線アクセスネットワークを含む。Ｅ‐ＵＴＲＡＮ１１２は複数のｅＮＢ１４を含んでもよい。
【００３２】
ｅＮＢ１１４は、ＬＴＥ通信規格の１または複数のバージョンに従って動作するネットワークデバイスを含む。例えばｅＮＢ１１４は、データ使用デバイス１０２からの要求に応答したり、データ使用デバイス１０２に関する情報をＥＰＣ１２０内のモビリティ管理エンティティ（ＭＭＥ：ｍｏｂｉｌｉｔｙ  ｍａｎａｇｅｍｅｎｔ  ｅｎｔｉｔｙ）１２２および／またはサービングゲートウェイ（ＳＧＷ：ｓｅｒｖｉｎｇ  ｇａｔｅｗａｙ）１２６へ転送したり、他のデバイス（例えばＳＧＷ１２６）とのトンネリングセッションをセットアップしたりするように構成され得る。ｅＮＢ１１４は、ネットワーク１００では基地局であり、他のネットワーク要素への制御プレーン接続を含んでもよい。ｅＮＢ１１４はＭＣＥ１１６を含んでもよい。
【００３３】
ＭＣＥ１１６は、マルチキャスト／ブロードキャスト単一周波数ネットワーク（ＭＢＳＦＮ：ｍｕｌｔｉｃａｓｔ／ｂｒｏａｄｃａｓｔ  ｓｉｎｇｌｅ  ｆｒｅｑｕｅｎｃｙ  ｎｅｔｗｏｒｋ）エリア内のすべてのｅＮＢ１１４によってＭＢＳＦＮ動作を用いたマルチセル・マルチメディア・ブロードキャスト・マルチキャスト・サービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ）に使用される無線リソースを割り振り得る。ＭＢＳＦＮエリアは、複数のセルが単一周波数ネットワークを用いて同じコンテンツを送信する特定のエリアである。各ｅＮＢ１１４は関連付けられたＭＣＥ１１６を有してもよく、ＭＣＥ１１６はｅＮＢ１１４に組み込まれてもよい。あるいは、ＭＣＥ１１６は別のネットワーク要素の一部であってもよい。ＭＣＥ１１６が別のネットワーク要素の一部である場合、各ｅＮＢ１１４は単一のＭＣＥ１１６によってサービスされる。時間／周波数無線リソースの割り振りに加えて、ＭＣＥ１１６は、変調および符号化方式（ＭＣＳ：ｍｏｄｕｌａｔｉｏｎ  ａｎｄ  ｃｏｄｉｎｇ  ｓｃｈｅｍｅ）といった無線構成のさらなる詳細を決定し、または実装し得る。またＭＣＥはＭＢＭＳセッション制御シグナリングにも関与し得る。
【００３４】
ＥＰＣ１２０は、３ＧＰＰ  ＬＴＥ無線通信規格のコア・ネットワーク・アーキテクチャを含んでもよい。ＥＰＣ１２０は、ＭＭＥ１２２、ホーム加入者サーバ（ＨＳＳ：ｈｏｍｅ  ｓｕｂｓｃｒｉｂｅｒ  ｓｅｒｖｅｒ）／認証、許可、および課金（ＡＡＡ：ａｕｔｈｅｎｔｉｃａｔｉｏｎ，  ａｕｔｈｏｒｉｚａｔｉｏｎ，  ａｎｄ  ａｃｃｏｕｎｔｉｎｇ）サーバ１２４、サービングゲートウェイ（ＳＧＷ）１２６、ポリシーおよび課金ルール機能（ＰＣＲＦ：ｐｏｌｉｃｙ  ａｎｄ  ｃｈａｒｇｉｎｇ  ｒｕｌｅｓ  ｆｕｎｃｔｉｏｎ）デバイス１２８、ＰＤＮゲートウェイ（ＰＧＷ：ＰＤＮ  ｇａｔｅｗａｙ）１３０、ブロードキャスト・マルチキャスト・サービス・センタ（ＢＭＳＣ：ｂｒｏａｄｃａｓｔ  ｍｕｌｔｉｃａｓｔ  ｓｅｒｖｉｃｅ  ｃｅｎｔｅｒ）１３２、ならびにＭＢＭＳゲートウェイ（ＭＢＭＳ  ＧＷ）１３４を含んでもよい。ネットワーク１００のデバイス／ネットワークは有線接続および／または無線接続を介して相互に接続してもよい。
【００３５】
ＭＭＥ１２２は、データ使用デバイス１０２のためのアイドルモードトラッキングおよびページング手続（例えば再送を含む）を担う。例えばＭＭＥ１２２は、データ使用デバイス１０２の現在の状態（例えば、電源状態、位置など）に関する情報を維持する。またＭＭＥ１２２は、ベアラアクティブ化／非アクティブ化プロセス（例えばＵＥ１０４のための）にも関与し、初期接続時およびＬＴＥ内ハンドオーバ時にデータ使用デバイス１０２のための特定のＳＧＷ１２６を選択するように動作する。加えてＭＭＥ１２２はデータ使用デバイス１０２を認証する（例えばＨＳＳ１２４との対話によって）。非アクセス層（ＮＡＳ：ｎｏｎ−ａｃｃｅｓｓ  ｓｔｒａｔｕｍ）シグナリングはＭＭＥ１２２で終端し、ＭＭＥ１２２は一時的な識別を生成し、データ使用デバイス１０２（例えばＵＥ１０４）に割り振る。
【００３６】
さらにＭＭＥ１２２は、サービス提供者の公衆陸上移動網（ＰＬＭＮ：Ｐｕｂｌｉｃ  Ｌａｎｄ  Ｍｏｂｉｌｅ  Ｎｅｔｗｏｒｋ）に接続するためのデータ使用デバイス１０２の承認をチェックすることができ、データ使用デバイス１０２（例えば特定のＵＥ１０４）のためのローミング限定を執行し得る。ＭＭＥ１２２は、ＮＡＳシグナリングの暗号化／完全性保護のためのＥＰＣネットワーク１２０における終端点であってもよく、セキュリティ鍵管理を扱い得る。ＭＭＥ１２２は、ＭＭＥ１２２で終端するＳ３インターフェース（すなわち、サービング汎用パケット無線サービス（ＧＰＲＳ：ｇｅｎｅｒａｌ  ｐａｃｋｅｔ  ｒａｄｉｏ  ｓｅｒｖｉｃｅ）サポートノード（ＳＧＳＮ：ｓｅｒｖｉｎｇ  ＧＰＲＳ  ｓｕｐｐｏｒｔ  ｎｏｄｅ）とＬＴＥネットワーク内のＭＭＥ１２２との間の接続を提供するインターフェース）を用いた、ＬＴＥと第２世代移動通信または第３移動世代通信（２Ｇ／３Ｇ）３ＧＰＰアクセスネットワークとの間のモビリティのための制御プレーン機能を提供し得る。またＭＭＥ１２２は、ローミングＵＥ１０４のためにＨＳＳ１２４へ向けてＳ６ａインターフェース（加入および認証データの送信を可能にする）を終端させてもよい。
【００３７】
ＨＳＳ／ＡＡＡ１２４は、プロキシデバイス、セッション・ボーダ・コントローラなどといった、コール（ｃａｌｌ）をハンドリングするＰＤＮ１４０上のデバイスをサポートするマスタ・ユーザ・データベースを含むように構成される。ＨＳＳ／ＡＡＡ１２４は加入関連情報（例えば加入者プロファイル）を含み得て、ＭＭＥ１２２から受け入れられた要求に基づいてユーザの認証および許可を実行し得て、加入者の位置に関する情報およびＩＰ情報を提供し得る。
【００３８】
ＳＧＷ１２６は、ユーザ・データ・パケットをルーティングして、転送し、ｅＮＢ間ハンドオーバ時のユーザプレーンのための無線モビリティアンカとして働き、また、ＬＴＥと他の３ＧＰＰ技術との間のモビリティ（「３ＧＰＰ間モビリティ」と呼ばれる）のための無線アンカとしても働く。図示のように、ＳＧＷ１２６は、無線レイヤのモビリティ制御プレーンを提供するためにｅＮＢ１１４に接続されている。加えてＳＧＷ１２６は、ＵＥ１０４と関連付けられたコンテキスト（例えば、ＩＰベアラサービスのパラメータ、ネットワーク内部ルーティング情報など）を管理し、格納する。
【００３９】
ＰＣＲＦ１２８は、ポリシー制御決定およびフローベースの課金制御機能を提供する。ＰＣＲＦ１２８は、サービス・データ・フロー検出、ゲート制御、サービス品質（ＱｏＳ：ｑｕａｌｉｔｙ  ｏｆ  ｓｅｒｖｉｃｅ）、およびフローベースの課金などに関するネットワーク制御を提供し得る。ＰＣＲＦ１２８は、ある特定のサービス・データ・フローがどのように扱われるべきかを判定し得て、ユーザプレーンのトラフィックマッピングおよび処置がユーザの加入プロファイルと一致することを保証し得る。
【００４０】
ＰＧＷ１３０は、ゲートウェイ、ルータ、スイッチ、ファイアウォール、ネットワーク・インターフェース・コントローラ（ＮＩＣ：ｎｅｔｗｏｒｋ  ｉｎｔｅｒｆａｃｅ  ｃｏｎｔｒｏｌｌｅｒ）、ハブ、ブリッジ、プロキシサーバ、光分岐挿入装置（ＯＡＤＭ：ｏｐｔｉｃａｌ  ａｄｄ／ｄｒｏｐ  ｍｕｌｔｉｐｌｅｘｅｒ）、またはデータを処理し、および／もしくは転送する何らかの他の種類のデバイスを含む。ＰＧＷ１３０は、データ使用デバイス１０２のためのトラフィック出口点／入口点であることにより、外部パケット・データ・ネットワーク（例えばＰＤＮ１４０）へのデータ使用デバイス１０２の接続を提供する。簡単に上述したように、データ使用デバイス１０２は、１または複数のＧＰＲＳトンネリングプロトコル（ＧＴＰ：ＧＰＲＳ  Ｔｕｎｎｅｌｉｎｇ  Ｐｒｏｔｏｃｏｌ）トンネルといった、ｅＮＢ１１４とＰＧＷ１３０との間に確立された１または複数のトンネルによってＰＧＷ１３０に接続し得る。データ使用デバイス１０２は、複数のＰＤＮにアクセスするために同時に複数のＰＧＷに接続し得る。ＰＧＷ１３０は、ポリシー執行、ユーザごとのパケットフィルタリング、課金サポート、合法的傍受、およびパケットスクリーニングを実行し得る。またＰＧＷ１３０は、３ＧＰＰ技術と非３ＧＰＰ技術との間のモビリティのためのアンカとして働いてもよい。
【００４１】
ＢＭＳＣ１３２は、データ使用デバイス１０２への、場合によっては、２Ｇおよび３ＧのＭＢＭＳアーキテクチャで現在実装されているような関連付けられたエンドユーザへのマルチキャストサービスまたはブロードキャストサービスの提供を管理する機能エンティティであり得る。ＢＭＳＣ１３２は、コンテンツ提供者またはネットワークの外部にある他のブロードキャスト／マルチキャストソースのための入口点を提供し得る。ＢＭＳＣ１３２は、マルチキャストサービスまたはブロードキャストサービスを支援する承認、スケジューリング、およびセキュリティの手続きを実行し得る。例えばＢＭＳＣ１３２は、ＭＢＭＳサービスをアクティブ化するように要求する端末のための承認を提供し得る。ＢＭＳＣ１３２はブロードキャスト／マルチキャストセッションをスケジューリングし得る。またＢＭＳＣ１３２は、ＭＢＭＳデータの完全性および機密性保護を実施し得て、ＭＢＭＳセッション告知を発行し得る。
【００４２】
ＢＭＳＣ１３２は、ＭＢＭＳセッションの確立および終了時にコンテキストをセットアップし、解除するＭＢＭＳベアラシグナリングをサポートし得る。またＢＭＳＣ１３２は、例えば、マルチキャストセッション承認のための、もしくはマルチキャストセッションに参加し、またはマルチキャストセッションから切断するユーザセッションのためのユーザ関連のシグナリングもサポートし得る。
【００４３】
ＭＢＭＳ  ＧＷ１３４は、サービス（ブロードキャストまたはマルチキャスト）を送信する各ｅＮＢ１１４へＭＢＭＳパケットを送信／ブロードキャストし得る。ＭＢＭＳ  ＧＷ１３４は、ネットワーク１００においてＢＭＳＣ１３２とｅＮＢ１１４との間に存在する論理エンティティであり得る。ＭＢＭＳ  ＧＷ１３４は、ルータなどといった別のネットワークエンティティの一部であってもよい。ＭＢＭＳ  ＧＷ１３４は、ＩＰマルチキャストを使用してＭＢＭＳユーザデータをｅＮＢ１１４へ転送し得る。ＭＢＭＳ  ＧＷ１３４は、ＭＭＥ１２２を介してＥ‐ＵＴＲＡＮ１１２へ向けたＭＢＭＳセッション制御シグナリング（例えばセッション開始／停止）を実行し得る。
【００４４】
ＰＤＮ１４０は、データサービスを提供する（例えばパケットまたは任意の他のインターネットプロトコル（ＩＰ）データグラムによって）ネットワークを含む。例えばＰＤＮ１４０は、インターネット、イントラネット、非同期転送モード（ＡＴＭ）ネットワークなどを含んでもよい。
【００４５】
図１には簡略化のために３つのＵＥ１０４、２つのＭ２Ｍデバイス１０６、ＡＮ１１０、ＥＰＣ１２０、ＰＤＮ１４０、Ｅ‐ＵＴＲＡＮ１１２、２つのｅＮＢ１１４、ＭＭＥ１２２、ＨＳＳ１２４、ＳＧＷ１２６、ＰＣＲＦ１２８、ＰＧＷ１３０、ＢＭＳＣ１３２、およびＭＢＭＳ  ＧＷ１３４が示されている。実際には、より多数またはより少数のデバイスまたは構成要素が存在してもよい。例えば、典型的なネットワーク１００は、実質的に階層的アクセスネットワークを形成する、数百万の加入者ＵＥ１０４、数千のｅＮＢ１１４、数百のＳＧＷ１２６ならびに数個のＰＧＷ１３０およびＭＢＭＳ  ＧＷ１３４を含み、階層的アクセスネットワークでは、トラフィックは、例えば、特定のＭＢＭＳ  ＧＷ１３４、ＰＧＷ１３０、ＳＧＷ１２６、およびｅＮＢ１１４を介してＰＤＮ１４０からＵＥ１０４へ受け渡される。
【００４６】
本明細書で記述する実装形態では、拡張アクセス規制（ＥＡＢ）および非ＥＡＢを含む制御プレーンに基づいて、３ＧＰＰ仕様を用いて可能とされるネットワークといったネットワークへのデータ使用デバイスの端末制御によるアクセスを提供するプロセスおよび方法が開示される。さらに、任意の１台のデバイスによって果たされると記述される機能は、ネットワーク１００内の任意の他のデバイス（またはデバイスの組み合わせ）によっても果たされ得る。
【００４７】
図２は、ネットワーク１００におけるデータ使用デバイス１０２のためのネットワーク・アクセス・クラスに基づくＮＡＳシグナリングを示す図である。図示のように、各データ使用デバイス１０２は、データ使用デバイス１０２のための関連するネットワーク・アクセス・クラスを識別する関連付けられた識別子（非ＥＡＢ識別子２０４、混合アクセス識別子２０６、ＥＡＢ識別子２０８）を有し得る。例えば、各識別子は、データ使用デバイス１０２ごとに汎用加入者識別モジュール（ＵＳＩＭ：Ｕｎｉｖｅｒｓａｌ  Ｓｕｂｓｃｒｉｂｅｒ  Ｉｄｅｎｔｉｔｙ  Ｍｏｄｕｌｅ）に含まれてもよい。ＵＳＩＭ上の非アクセス層構成ファイルの存在および書式は３ＧＰＰ技術仕様（ＴＳ）３１．１０２で規定されている通りであり得る。
【００４８】
非ＥＡＢ識別子２０４は、ネットワーク１００内のＵＥ１０４のうちの１または複数、例えばＵＥ１０４‐１に含まれ得る。非ＥＡＢ識別子２０４は、関連付けられたＵＥ１０４からのすべてのネットワークアクセス要求が、ＵＥ１０４によって要求されるすべてのサービスについて、非ＥＡＢネットワーク・アクセス・プロトコル２１０に基づいて許可されるべきことを示し得る。例えばＵＥ１０４は、音声通話、ウェブブラウジング、ストリーミングサービスといったタイムクリティカルなサービスのためのネットワークアクセスを要求し、受信し得る。加えてＵＥ１０４は、非ＥＡＢネットワーク・アクセス・プロトコル２１０を用いて、待ち時間および他の接続要件がＭ２Ｍトラフィックと同様の（場合によっては同一の）非タイムクリティカルなサービスのためのネットワークアクセスも要求し、受信し得る。非タイムクリティカルなサービスには、ソフトウェア更新のためのデータダウンロード（オペレーティングシステムの更新もしくはインストール済みプログラム／アプリケーションの更新のための）、または電子メール同期、ソーシャルネットワーキング、天気予報、クラウドベースのストレージなどの自動バックグラウンド更新といったアクティビティ、およびタイムクリティカルではない他のサービスが含まれ得る。場合によっては、非タイムクリティカルなサービスは、直接の人間の介入なしでＵＥ１０４‐１によって繰り返し開始され得る。
【００４９】
混合アクセス識別子２０６は、ネットワーク１００内のＵＥ１０４のうちの１または複数、例えばＵＥ１０４‐ｘに含まれ得る。混合アクセス識別子２０６は、特定のＵＥ、この例ではＵＥ１０４‐ｘからの、タイムクリティカルなアプリケーションおよび／またはアクティビティといったいくつかのネットワークアクセス要求が、非ＥＡＢネットワーク・アクセス・プロトコル２１０に基づいて許可されるべきことを示し得る。
【００５０】
しかし混合アクセス識別子２０６は、ＵＥ１０４‐ｘにおける非タイムクリティカルなバックグラウンドアクティビティといった特定のアクティビティがＥＡＢネットワーク・アクセス・プロトコル２１２に従うべきことも示し得る。言い換えると、特定のアクティビティはネットワークアクセスについてマシン・タイプ・コミュニケーション概念に従うように指定し得て、これはネットワーク輻輳のリスクを著しく低下させ得る。ＥＡＢネットワーク・アクセス・プロトコル２１２に従うアクティビティはネットワーク１００によって一時的に規制され得る。混合アクセス識別子２０６は、あまりタイムクリティカルではないサービスをＥＡＢシグナリングに従うよう分類し、ＭＭＥ１２２といったネットワーク１００内のシグナリング制御デバイスが、タイムクリティカルなサービスのための所定の最小限のサービス品質を維持しつつ、やりとりの多いネットワークプロトコル（例えば、後続の送信の前に確認を必要とするネットワーク接続プロトコル）を用いてより多くの量のデータ使用デバイス１０２を扱うことを可能にし得る。
【００５１】
ＥＡＢ識別子２０８は、Ｍ２Ｍ１０６の各々に含まれ得る。ＥＡＢ識別子２０８は、Ｍ２Ｍ１０６が、ＥＡＢネットワーク・アクセス・プロトコル２１２に従うネットワーク・アクセス・クラスに分類されていることを示し得る。ネットワーク１００内のシグナリングデバイスは、ＥＡＢネットワーク・アクセス・プロトコル２１２に基づくＭ２Ｍ１０６の一時的規制をシグナリングし得る。加えて、ＥＡＢネットワーク・アクセス・プロトコル２１２に従うデバイスのための別個のランダム・アクセス・チャネル（ＲＡＣＨ：ｒａｎｄｏｍ  ａｃｃｅｓｓ  ｃｈａｎｎｅｌ）を定義し得る。ＲＡＣＨは、ネットワーク１００内の非ＥＡＢネットワーク・アクセス・プロトコル２１０に従うデータ使用デバイス１０２からの、ＥＡＢネットワーク・アクセス・プロトコル２１２に従うデータ使用デバイス１０２についての別個の（また、多くの場合、（例えば、より低い相対的帯域幅割り振りおよび／または伝送信頼性要件のために）より高い）アクセス衝突確率を提供し得る。
【００５２】
ＭＭＥ１２２は、ＮＡＳシグナリング、ＮＡＳシグナリングセキュリティ、アイドルモードＵＥ到達可能性、トラッキング・エリア・リスト管理、ローミング、承認、ならびにＳＧＷとＰＧＷとの間およびＳＧＷとｅＮＢとの間のＥＰＳベアラ確立の開始のための機能をホストする。
【００５３】
またＭＭＥ１２２はネットワークアクセス制御のための機能もホストし得る。例えば、データ使用デバイス１０２がＭＭＥ１２２にネットワークアクセス要求を行うときに、またはデータ使用デバイス１０２がＭＭＥ１２２によって通信セットアップを開始するためにページングされる場合に、データ使用デバイス１０２のためのデータアクセスが、関連付けられた識別子（例えば、ＵＳＩＭカードに位置する「ＮＡＳ構成」に基づく３ＧＰＰアクセス技術のための）に基づいて決定（付与または規制）され得る。識別子はＴＳ３１．１０２で規定されているように構成されてもよい。
【００５４】
ＳＧＷ１２６は無線モビリティアンカリングのための機能をホストする。ＰＧＷ１３０は、ＵＥ  ＩＰアドレス割り振り、パケットフィルタリング、ＩＰモビリティアンカリング、および合法的傍受のための機能をホストする。
【００５５】
図３は、ネットワークアクセス制御デバイス３００の機能ブロック図である。ネットワークアクセス制御デバイス３００は、ネットワーク・アクセス・クラス識別モジュール３０２、混合アクセス・スケジューリング・モジュール３０４、およびアクセス・スケジューリング・モジュール３０６を含んでもよい。ネットワークアクセス制御デバイス３００はＭＭＥ１２２に組み込まれてもよく、あるいはネットワークアクセス制御デバイス３００は、ＭＭＥ１２２またはネットワーク１００内の他のデバイスと併せて実装されてもよい。
【００５６】
ネットワーク・アクセス・クラス識別モジュール３０２は、データ使用デバイス１０２と関連付けられた識別子に基づいて、特定のアクセスクラスがデータ使用デバイス１０２のために適用できるかどうかを判定し得る。例えばネットワーク・アクセス・クラス識別モジュール３０２は、データ使用デバイス１０２（すなわちＭ２Ｍ１０６）のためにＥＡＢのみが適用可能であると判定し得る。ネットワーク・アクセス・クラス識別モジュール３０２は、以下で図６および方法６００に関連して記述するように、ＵＥ１０４のために異なるネットワーク・アクセス・クラスを判定し得る。
【００５７】
混合アクセス・スケジューリング・モジュール３０４は、図２に関連して記述したＵＥ１０４‐ｘといった、混合アクセス識別子２０６を含むデータ使用デバイス１０２と関連付けられたアプリケーションおよびサービスのための特定のネットワーク・アクセス・プロトコルを識別し得る。混合アクセス・スケジューリング・モジュール３０４は、異なる関連付けられたアプリケーションおよびサービスについて、ＥＡＢおよび非ＥＡＢの帰属関係を同時に含み得る（また、非ＥＡＢネットワーク・アクセス・プロトコル２１０またはＥＡＢネットワーク・アクセス・プロトコル２１２に従い得る）。また混合アクセス・スケジューリング・モジュール３０４は、データ使用デバイス１０２の構成を、ＴＳ２４．３６８で規定されているような予め定義される識別子（例えばＳＩＭ情報）に依存せずに、特定のネットワーク・アクセス・プロトコルに従うように調整してもよい。
【００５８】
図４は、上記図１〜図３で記述した、ＵＥ１０４、Ｍ２Ｍ１０６、ＡＮ１１０内の１または複数のデバイス、ＥＰＣ１２０、ＰＤＮ１４０、Ｅ‐ＵＴＲＡＮ１１２、ｅＮＢ１１４、ＭＭＥ１２２、ＨＳＳ１２４、ＳＧＷ１２６、ＰＣＲＦ１２８、ＰＧＷ１３０、ＢＭＳＣ１３２、およびＭＢＭＳ  ＧＷ１３４に対応し得るデバイス４００の例示的な構成要素の図である。ＵＥ１０４、アクセスネットワーク１０４、ＥＰＣ１２０、ＰＤＮ１４０、Ｅ‐ＵＴＲＡＮ１１２、ｅＮＢ１１４、ＭＭＥ１２２、ＨＳＳ１２４、ＳＧＷ１２６、ＰＣＲＦ１２８、ＰＧＷ１３０、ＢＭＳＣ１３２、およびＭＢＭＳ  ＧＷ１３４の各々が１または複数のデバイス４００を含み得る。図４に示されるように、デバイス４００は、バス４１０、プロセッサ４２０、メモリ４３０、入力デバイス４４０、出力デバイス４５０、および通信インターフェース４６０を含み得る。
【００５９】
バス４１０は、デバイス４００の構成要素間の通信を可能にし得る。プロセッサ４２０は、命令を解釈し、実行する１または複数のプロセッサまたはマイクロプロセッサを含んでもよい。他の実装形態では、プロセッサ４２０は、１または複数の特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールド・プログラマブル・ゲート・アレイ（ＦＰＧＡ：ｆｉｅｌｄ  ｐｒｏｇｒａｍｍａｂｌｅ  ｇａｔｅ  ａｒｒａｙ）などとして実装され、またはこれらを含んでもよい。
【００６０】
メモリ４３０は、情報およびプロセッサ４２０が実行するための命令を格納するランダム・アクセス・メモリ（ＲＡＭ：ｒａｎｄｏｍ  ａｃｃｅｓｓ  ｍｅｍｏｒｙ）もしくは別の種類の動的記憶デバイス、静的情報およびプロセッサ４２０のための命令を格納する読取り専用メモリ（ＲＯＭ：ｒｅａｄ  ｏｎｌｙ  ｍｅｍｏｒｙ）もしくは別の種類の静的記憶デバイス、ならびに／またはある他の種類の磁気的もしくは光学的記録媒体およびそれに対応する、情報および／もしくは命令を格納するためのドライブを含んでもよい。
【００６１】
入力デバイス４４０は、キーボード、キーパッド、マウス、ペン、マイクロフォン、１または複数の生体認証機構などといった、オペレータがデバイス４００に情報を入力することを可能にするデバイスを含んでもよい。出力デバイス４５０は、ディスプレイ、スピーカなどといった、オペレータに情報を出力するデバイスを含んでもよい。
【００６２】
通信インターフェース４６０は、デバイス４００が他のデバイスおよび／またはシステムと通信することを可能にする１または複数の送受信機を含んでもよい。例えば通信インターフェース４６０は、ネットワーク１００の他のデバイスといった他のデバイスと通信するための機構を含んでもよい。
【００６３】
本明細書で記述するように、デバイス４００は、プロセッサ４２０がメモリ４３０といったコンピュータ可読媒体に含まれるソフトウェア命令を実行したことへの応答として、ある動作を実行し得る。コンピュータ可読媒体は非一時的なメモリデバイスを含んでもよい。メモリデバイスは、単一の物理的なメモリデバイス内の空間を含んでもよく、複数の物理的なメモリデバイスにまたがって分散していてもよい。ソフトウェア命令は、別のコンピュータ可読媒体から、または通信インターフェース４６０を介して別のデバイスからメモリ４３０へ読み込まれてもよい。メモリ４３０に含まれるソフトウェア命令はプロセッサ４２０に本明細書で記述するプロセスを実行させ得る。あるいは、本明細書で記述するプロセスを実装するために、ソフトウェア命令の代わりに、またはソフトウェア命令と組み合わせて、配線回路が使用される。よって、本明細書で記述する実装形態は、ハードウェア回路とソフトウェアとのいかなる特定の組み合わせにも限定されない。
【００６４】
図４にはデバイス４００の例示的な構成要素が示されているが、他の実装形態ではデバイス４００は、図４に示すものより少ない構成要素、異なった構成要素、異なった配置の構成要素、または追加的な構成要素を含んでもよい。一例として、いくつかの実装形態では、入力デバイス４４０および／または出力デバイス４５０がデバイス４００によって実装されなくてもよい。これらの状況では、デバイス４００は入力デバイスまたは出力デバイスを明示的に含まない「ヘッドレス」デバイスであってもよい。代替として、または加えて、デバイス４００の１または複数の構成要素が、デバイス４００の１または複数の他の構成要素によって実行されると記述されている１または複数の他のタスクを実行してもよい。
【００６５】
図５は、図１および図２に示すＵＥ１０４のうちの１または複数といった例示的なユーザデバイス５００の図である。図示のように、ユーザデバイス５００は、スピーカ５０４、ディスプレイ５０６、制御キー５０８、キーパッド５１０、およびマイクロフォン５１２を含んでもよい。ユーザデバイス５００は、データの受信、送信、および／または処理を支援する他の構成要素（図５に示されていない）を含んでもよい。さらに、ユーザデバイス５００の他の構成も可能である。
【００６６】
スピーカ５０４はユーザデバイス５００のユーザに可聴情報を提供し得る。ディスプレイ５０６は、ユーザにビデオ画像や写真といった視覚情報を提供するための表示画面を含んでもよく、ユーザから入力を受理するためのタッチスクリーンディスプレイを含んでもよい。例えばディスプレイ５０６は、着信または発信通話、電話番号、連絡先情報、現在時刻、ボイスメール、電子メールなどに関する情報を提供し得る。ディスプレイ５０６は、利用可能な視覚的なボイスメールのリストを含むグラフィック・ユーザ・インターフェース（不図示）を表示し得る。
【００６７】
制御キー５０８は、ユーザがユーザデバイス５００とインタラクションすることにより、ユーザデバイス５００に視覚的なボイスメールアプリケーションとインタラクションするといった１または複数の動作を実行させることを可能にし得る。制御キー５０８は、キーの真上のディスプレイ５０６上に示された機能を果たし得るソフトキーを含んでもよい。キーパッド５１０は標準的な電話キーパッドを含んでもよく、ユーザデバイス５００への情報入力（例えばタイピング）を可能にするための追加キーを含んでもよい。マイクロフォン５１２はユーザから可聴情報を受け取り得る。
【００６８】
デバイス５００は、デバイス５００と関連付けられた少なくとも１つのサービスに基づいてネットワークアクセスのための要求を生成し得る。デバイス５００は、デバイス５００と関連付けられたネットワーク・アクセス・クラスの識別のための要求を受信し、これへの応答としてデバイス５００と関連付けられた混合アクセスクラス（例えばＳＩＭ（不図示）に基づく）の識別を提供し得る。混合アクセスクラスは、デバイス５００のための、少なくとも１つのサービスについての非ＥＡＢネットワーク・アクセス・プロトコル２１０および少なくとも１つの別のサービスについてのＥＡＢネットワーク・アクセス・プロトコル２１２を含む。デバイス５００は、混合アクセスクラスおよび少なくとも１つのサービスに基づくネットワークアクセスを受信し得る。
【００６９】
図６は、本明細書で記述するネットワークアクセスを判定するための例示的なプロセスのフロー図である。一実装形態では、プロセス６００はネットワークアクセス制御デバイス３００によって実行され得る。別の実装形態では、プロセス６００の一部または全部が、ネットワークアクセス制御デバイス３００を含む、または除く別のデバイスまたはデバイス群によって実行され得る。
【００７０】
プロセス６００は、ネットワークアクセス制御デバイス３００がデータ使用デバイス１０２のアクセスクラスのための識別子を読み取る際に、に開始し得る（ブロック６０２）。例えば、ネットワーク接続時に、データ使用デバイス１０２は、例えば、データ使用デバイス１０２がＥＡＢネットワーク・アクセス・プロトコル２１２を用いて通信するＥＡＢデバイス（すなわちＥＡＢのみのアクセスクラス）である場合、非ＥＡＢネットワーク・アクセス・プロトコル２１０を用いて通信する非ＥＡＢデバイス（すなわち非ＥＡＢのみのアクセスクラス）である場合、または混合アクセス・クラス・プロトコル、すなわち、あるサービスについてはＥＡＢネットワーク・アクセス・プロトコル２１２を、別のサービスについては非ＥＡＢネットワーク・アクセス・プロトコル２１０を用いて通信する混合アクセスクラスデバイス（すなわち混合アクセスクラス）である場合に、データ使用デバイス１０２のための１または複数の関連付けられたネットワーク・アクセス・プロトコルを示すために、ネットワークアクセス制御デバイス３００にデータ使用デバイス１０２と関連付けられたネットワーク・アクセス・クラスをシグナリングし得る。ネットワークアクセス制御デバイス３００は、データ使用デバイス１０２のためのネットワーク・アクセス・クラスの識別子を含むデータ使用デバイス１０２のＳＩＭカードから情報を受け取り得る。
【００７１】
ブロック６０４で、データ使用デバイス１０２のためのネットワーク・アクセス・プロトコルがＥＡＢネットワーク・アクセス・プロトコル２１２である（すなわち、データ使用デバイス１０２がＥＡＢのみに基づくアクセスを受け取る）場合（ブロック６０２、ＥＡＢのみ）には、ネットワークアクセス制御デバイス３００は、データ使用デバイス１０２のためのＥＡＢアクセスが許可されているかどうかを判定し得る。ＥＡＢアクセスはネットワーク１００において所定の間隔で、または現在の、もしくは予測されるネットワーク１００内のネットワーク容量もしくはトランザクション量（もしくは上述のＲＡＣＨといったネットワーク１００内の通信チャネルの部分）に基づいて許可され得る。この場合には、データ使用デバイス１０２はＥＡＢのみのデバイスであり、Ｍ２Ｍ１０６とみなされる。
【００７２】
ＥＡＢアクセスが許可されていない場合（ブロック６０４、いいえ）には、ネットワークアクセス制御デバイス３００は、データ使用デバイス１０２のための（データ使用デバイス１０２へ／からの）ネットワーク１００へのアクセスを緊急呼び出しだけに限定し得る（ブロック６０６）。ＥＡＢアクセスが許可されている場合（ブロック６０４、はい）には、ネットワークアクセス制御デバイス３００は、すべてのサービスについてのデータ使用デバイス１０２のためのネットワークアクセスを許可し得る（ブロック６０８）。
【００７３】
ブロック６１０で、データ使用デバイス１０２のためのネットワーク・アクセス・プロトコルが混合アクセスクラスである場合（ブロック６０２、混合アクセスクラス）には、ネットワークアクセス制御デバイス３００は、データ使用デバイス１０２のためのＥＡＢアクセスが許可されているかどうかを判定し得る。
【００７４】
ＥＡＢアクセスが許可されていない場合（ブロック６１０、いいえ）には、ネットワークアクセス制御デバイス３００は、ネットワーク１００へのネットワークアクセスを、非ＥＡＢのみであるデータ使用デバイス１０２と関連付けられたサービスだけに限定し得る（すなわち、ネットワークアクセス制御デバイス３００はＥＡＢサービスのためのネットワークアクセスを規制し得る）（ブロック６１２）。
【００７５】
ＥＡＢアクセスが許可されている場合（ブロック６１０、はい）には、ネットワークアクセス制御デバイス３００は、すべてのサービスについてのデータ使用デバイス１０２のネットワークアクセスを許可し得る（ブロック６１４）。一例によれば、ネットワークアクセス制御デバイス３００は、ＥＡＢサービスのための別個のＰＤＰコンテキストをサポートし得る。
【００７６】
ブロック６１０からブロック６１４に示されるように、ネットワークアクセス制御デバイス３００は、同じデータ使用デバイス１０２から同時にＥＡＢおよび非ＥＡＢのサービスの分類を提供し得る。これらの例ではデータ使用デバイス１０２は、ネットワーク１００と関連付けられたタイムクリティカルな高優先順位のサービスのための一般的なアクセス限定に従い得て、一方であまりタイムクリティカルでないバックグラウンドサービスからのデータ接続は、ＥＡＢ限定が許容する場合にのみデータ使用デバイス１０２によって開始され、ＥＡＢランダムアクセス手続に従う。
【００７７】
ブロック６１６で、データ使用デバイス１０２のためのネットワーク・アクセス・プロトコルが非ＥＡＢのみである場合（ブロック６０２、非ＥＡＢのみ）には、ネットワークアクセス制御デバイス３００は、すべてのサービスについてのデータ使用デバイス１０２のネットワークアクセスを許可し得る。
【００７８】
ブロック６１８で、ネットワークアクセス制御デバイス３００は、ＴＳ２４．３６８で規定されているデバイス管理によってデータ使用デバイス１０２のＳＩＭを変更し得る。
【００７９】
以上の例示的な実装形態の記述は例示と説明を提供するものであり、網羅的であることも、本明細書で記述する実施形態を開示通りの形態だけに限定することも意図するものではない。上記の教示に照らして改変および変形が可能であり、これらの実施形態の実施により改変および変形を得ることもできる。例えば、マシン・タイプ・コミュニケーションは、個々のデータ使用デバイス１０２またはデータ使用デバイス１０２のサブクラス（例えばネットワーク１００上の医療設備）について許可されてもよく、マシン・タイプ・コミュニケーションを使用するすべてのデータ使用デバイス１０２（すなわちすべてのＥＡＢデバイス）について許可されてもよい。
【００８０】
例えば、図６に関して一連のブロックが記述されているが、他の実装形態では各ブロックの順序が変更されてもよい。さらに、非依存ブロックが並列に実行されてもよい。
【００８１】
上記の記述の様々な側面は、各図に示す実装形態において多くの異なる形態のソフトウェア、ファームウェア、およびハードウェアとして実装され得ることが明らかであろう。これらの側面を実装するために使用される実際のソフトウェアコードまたは専用の制御ハードウェアは本発明を限定するものではない。よって、これらの側面の動作および挙動は特定のソフトウェアコードに言及せずに記述した。ソフトウェアおよび制御ハードウェアは、本明細書の記述に基づいてこれらの側面を実装するように設計することができることが理解されるであろう。
【００８２】
「ｃｏｍｐｒｉｓｅｓ／ｃｏｍｐｒｉｓｉｎｇ」という用語は、本明細書で使用する場合、記載される特徴、整数、ステップまたは構成要素の存在を指定するものと理解されるが、１または複数の他の特徴、整数、ステップ、構成要素、またはそれらのグループの存在または追加を排除するものではないことを強調されなければならない。
【００８３】
本出願で使用するいかなる要素、動作、命令も、そのように明示しない限り、本明細書で記述する実装形態にとって重大であり、または不可欠であると解釈すべきではない。また、本明細書で使用する場合、冠詞の「ａ」は１または複数の項目を含むことを意図する。さらに、句「〜に基づく（ｂａｓｅｄ  ｏｎ）」は、特に明示しない限り、「〜に少なくとも一部は基づく（ｂａｓｅｄ，ａｔ  ｌｅａｓｔ  ｉｎ  ｐａｒｔ，  ｏｎ）」を意味することを意図する。
【図１】
0005805909.tif 000002
【図２】
0005805909.tif 000003
【図３】
0005805909.tif 000004
【図４】
0005805909.tif 000005
【図５】
0005805909.tif 000006
【図６】
0005805909.tif 000007